(57)【要約】【課題】液晶ディスプレイのバックライト輝度と色系を外界光度により動態調節する制御装置の提供。【解決手段】ディスプレイ動態制御装置、環境輝度センサ及び色系アレイボードを具え、該色系アレイボードが異なる色系光源を具え、それは液晶ディスプレイのバックライトに結合される。該ディスプレイ動態制御装置が環境輝度センサの検出した環境輝度信号の大きさにより、バックライト輝度制御信号を発生して液晶ディスプレイのバックライトに送り、該液晶ディスプレイのバックライト輝度を改変させ、マイクロコントローラーが複数の異なる色系制御信号を発生して該色系アレイボードに送り、該液晶ディスプレイの現出する色系を制御する。【選択図】        図３
2004233942.tif 000002
【特許請求の範囲】
【請求項１】
コンピュータディスプレイバックライト輝度及び色系を動態調節する制御装置において、該制御装置はコンピュータ装置の液晶ディスプレイのバックライト輝度及び色系を調節するのに用いられ、該制御装置は、
マイクロコントローラーを具え、バスを介して該コンピュータ装置に連接された、ディスプレイ動態制御装置と、
該ディスプレイ動態制御装置のマイクロコントローラーに連接されて該コンピュータ装置の使用場所の環境輝度を検出して環境輝度信号を発生して該ディスプレイ動態制御装置のマイクロコントローラーに送る環境輝度センサと、
異なる色系光源を具えて該液晶ディスプレイのバックライト装置に連接された色系アレイボード、
を具え、該ディスプレイ動態制御装置のマイクロコントローラーが受け取った環境輝度信号の数値の大きさによりバックライト輝度制御信号を発生して液晶ディスプレイのバックライト装置に送り、該液晶ディスプレイのバックライト輝度を改変し、該マイクロコントローラーが受け取った環境輝度信号により複数の異なる色系制御信号を発生して該色系アレイボードに送り、該液晶ディスプレイの現出する色系を制御することを特徴とする、コンピュータディスプレイバックライト輝度及び色系を動態調節する制御装置。
【請求項２】
請求項１に記載のコンピュータディスプレイバックライト輝度及び色系を動態調節する制御装置において、色系アレイボードが異なる色系の複数の発光ダイオードを具えて液晶ディスプレイに異なるバックライト色系を現出させるのに供されることを特徴とする、コンピュータディスプレイバックライト輝度及び色系を動態調節する制御装置。
【請求項３】
請求項２に記載のコンピュータディスプレイバックライト輝度及び色系を動態調節する制御装置において、ディスプレイ動態制御装置のマイクロコントローラーの発生する複数の異なる色系制御信号が、赤色背景色制御信号、緑色背景色制御信号、青色背景色制御信号、黄色背景色制御信号を具えたことを特徴とする、コンピュータディスプレイバックライト輝度及び色系を動態調節する制御装置。
【請求項４】
請求項１に記載のコンピュータディスプレイバックライト輝度及び色系を動態調節する制御装置において、ディスプレイ動態制御装置がコンピュータ装置のキーボードコントローラーとされたことを特徴とする、コンピュータディスプレイバックライト輝度及び色系を動態調節する制御装置。
【請求項５】
請求項１に記載のコンピュータディスプレイバックライト輝度及び色系を動態調節する制御装置において、環境輝度センサがホトセンシティブ抵抗とされたことを特徴とする、コンピュータディスプレイバックライト輝度及び色系を動態調節する制御装置。
【発明の詳細な説明】
【０００１】
【発明の属する技術分野】
本発明は一種のコンピュータディスプレイの制御装置に係り、特に一種のコンピュータディスプレイバックライト輝度及び色系を動態調節する制御装置に関する。
【０００２】
【従来の技術】
ディスプレイはコンピュータ装置の重要な出力装置であり、該ディスプレイにより使用者はコンピュータ装置の実行状態を掌握でき、並びに該ディスプレイに表示されるデータ情報に基づき各命令をコンピュータ装置に下すことができる。現在使用されているコンピュータディスプレイの形態は、大きくＣＲＴ式と液晶ディスプレイの二種類に分けられ、液晶ディスプレイの技術はすでに成熟段階に達し、且つ価格が低廉で消耗パワーも小さく、重量が軽く、体積が小さい等の長所があり、ゆえに将来はディスプレイ市場の主流となると見なされている。
【０００３】
図１は周知のコンピュータ装置のシステム連接表示図であり、該コンピュータ装置１は、ＣＰＵ１０、システムバス１１、ＰＣＩ／ＩＳＡバス１２、ＲＡＭ１３、ＲＯＭ１４、ブリッジ１５、キーボード装置１６、データ保存装置１７等の周知の構成手段を具えている。現在パソコン或いはノートブック型コンピュータに一般に使用されているディスプレイインタフェース１８のほとんどはカラーディスプレイインタフェースとされ、それはコンピュータ装置１のバス１２（例えばＰＣＩ或いはＩＳＡバス）に連接されている。液晶ディスプレイ１９は該ディスプレイインタフェース１８に連接されて該コンピュータ装置１の発生する画像信号を表示する。
【０００４】
【発明が解決しようとする課題】
従来のコンピュータディスプレイにあって、そのバックライト輝度はことんどが固定値を現出する設計とされ、業者は各使用者の好み及びコンピュータ装置の使用される場所に対応し、液晶ディスプレイ製品に輝度制御ボタンを配置し、使用者が液晶ディスプレイの輝度を調節できるようにしている。その輝度調節の原理は、可変抵抗に異なる電圧値を発生させ、それを液晶ディスプレイのバックライトに送ることにより液晶ディスプレイの輝度調節機能を達成する、というものである。
【０００５】
現在ディジタル調節の方式を採用して液晶ディスプレイ輝度調節機能を達成したものもある。しかし、アナログ式輝度調節或いはディジタル式輝度調節のいずれであっても、使用者はコンピュータを使用する際に手動で調節しなければならない。例えば照明が強いか或いは環境輝度が高い環境にあっては、使用者は手動調節の方式で該ディスプレイの輝度を調節しなければ、はっきりとディスプレイ上の画像或いは文字を観ることができない。この欠点は異なる環境での使用が経常的に必要であるノートブック型コンピュータに対しては、使用上、非常に大きな面倒をもたらす。現在周知の技術或いは製品に、ディスプレイ輝度を動態調節する機能を具えたものはない。
【０００６】
さらに、伝統的なコンピュータディスプレイにあって、そのほとんどは、色系輝度にも固定値設計を採用しており、使用者がそのディスプレイの色系を調節するのは容易でない。このような製品は制御プログラムの方式により手動でディスプレイの表示色系を調節できるが、毎回制御プログラムを起動しなければならないのも不便である。
【０００７】
このため、上述の周知の技術の欠点に対して、本発明は一種のコンピュータディスプレイバックライト輝度を動態調節する制御装置を提供し、本発明の制御装置の制御により、コンピュータ装置の使用時の実際の場所の環境輝度により、コンピュータディスプレイのバックライト輝度を動態調節できるようにすることにある。
【０００８】
本発明のもう一つの目的は、一種のコンピュータディスプレイの色系を動態調節する制御装置を提供し、本発明の制御装置の制御により、使用者が好みの背景色系によりディスプレイの現出する色系を調整できるようにすることにある。
【０００９】
【課題を解決するための手段】
請求項１の発明は、コンピュータディスプレイバックライト輝度及び色系を動態調節する制御装置において、該制御装置はコンピュータ装置の液晶ディスプレイのバックライト輝度及び色系を調節するのに用いられ、該制御装置は、
マイクロコントローラーを具え、バスを介して該コンピュータ装置に連接された、ディスプレイ動態制御装置と、
該ディスプレイ動態制御装置のマイクロコントローラーに連接されて該コンピュータ装置の使用場所の環境輝度を検出して環境輝度信号を発生して該ディスプレイ動態制御装置のマイクロコントローラーに送る環境輝度センサと、
異なる色系光源を具えて該液晶ディスプレイのバックライト装置に連接された色系アレイボード、
を具え、該ディスプレイ動態制御装置のマイクロコントローラーが受け取った環境輝度信号の数値の大きさによりバックライト輝度制御信号を発生して液晶ディスプレイのバックライト装置に送り、該液晶ディスプレイのバックライト輝度を改変し、該マイクロコントローラーが受け取った環境輝度信号により複数の異なる色系制御信号を発生して該色系アレイボードに送り、該液晶ディスプレイの現出する色系を制御することを特徴とする、コンピュータディスプレイバックライト輝度及び色系を動態調節する制御装置としている。
請求項２の発明は、請求項１に記載のコンピュータディスプレイバックライト輝度及び色系を動態調節する制御装置において、色系アレイボードが異なる色系の複数の発光ダイオードを具えて液晶ディスプレイに異なるバックライト色系を現出させるのに供されることを特徴とする、コンピュータディスプレイバックライト輝度及び色系を動態調節する制御装置としている。
請求項３の発明は、請求項２に記載のコンピュータディスプレイバックライト輝度及び色系を動態調節する制御装置において、ディスプレイ動態制御装置のマイクロコントローラーの発生する複数の異なる色系制御信号が、赤色背景色制御信号、緑色背景色制御信号、青色背景色制御信号、黄色背景色制御信号を具えたことを特徴とする、コンピュータディスプレイバックライト輝度及び色系を動態調節する制御装置としている。
請求項４の発明は、請求項１に記載のコンピュータディスプレイバックライト輝度及び色系を動態調節する制御装置において、ディスプレイ動態制御装置がコンピュータ装置のキーボードコントローラーとされたことを特徴とする、コンピュータディスプレイバックライト輝度及び色系を動態調節する制御装置としている。
請求項５の発明は、請求項１に記載のコンピュータディスプレイバックライト輝度及び色系を動態調節する制御装置において、環境輝度センサがホトセンシティブ抵抗とされたことを特徴とする、コンピュータディスプレイバックライト輝度及び色系を動態調節する制御装置としている。
【００１０】
【発明の実施の形態】
本発明が周知の技術の問題を解決するために採用する技術手段は以下のとおりである。本発明によると、コンピュータ装置中にディスプレイ動態制御装置が結合され、該ディスプレイ動態制御装置は、バスを介して該コンピュータ装置に連接されたマイクロコントローラーと、該コンピュータ装置の使用場所の環境輝度或いは外界光源強度を検出する環境輝度センサを具えている。該ディスプレイ動態制御装置のマイクロコントローラーは受信した環境輝度信号の数値の大きさにより、バックライト輝度制御信号を発生して液晶ディスプレイのバックライトに送り、該液晶ディスプレイのバックライト輝度を改変する。また、本発明の制御装置の制御により、使用者は好みのバックライト色系により該ディスプレイの現出する色系に調整できる。
【００１１】
該ディスプレイ動態制御装置は該コンピュータ装置のキーボードコントローラーとされうる。該キーボードコントローラーのファームウエア機能により、環境輝度信号信号の数値の大きさを検出でき、並びにそれに基づき発生したバックライト輝度制御信号を液晶ディスプレイのバックライト装置に送り、該液晶ディスプレイのバックライト輝度を改変する。さらに、該キーボードコントローラーの機能を利用し、使用者はキーボード装置上の所定のキースイッチにより該マイクロコントローラーの送出する異なる色系の制御信号を調整でき、これにより使用者はその好みにより、或いはコンピュータ装置の実際の使用場所により液晶ディスプレイの色系を最適の色系に調整することができる。
【００１２】
本発明の採用する技術手段により、コンピュータ装置のディスプレイが環境輝度或いは光源強度によりコンピュータディスプレイのバックライト輝度を自動調節でき、これにより該ディスプレイのバックライト輝度を最も使用者が受け入れられる範囲内に調節することができる。並びに使用者に多重背景色系の選択機能を提供し、これによりディスプレイが現出する画像に使用者の最も好む色系を達成させることができる。
【００１３】
【実施例】
図２は本発明のコンピュータディスプレイバックライト輝度及び色系を動態調節する制御装置をコンピュータ装置に結合した時のシステム連接表示図である。図示されるように、該コンピュータ装置１は、ＣＰＵ１０、システムバス１１、ＰＣＩ／ＩＳＡバス１２、ＲＡＭ１３、ＲＯＭ１４、ブリッジ１５、キーボード装置１６、データ保存装置１７等の周知の構成手段を具えている。
【００１４】
現在パソコン或いはノートブック型コンピュータに一般に使用されているディスプレイインタフェース１８のほとんどはカラーディスプレイインタフェースとされ、それはコンピュータ装置１のバス１２（例えばＰＣＩ或いはＩＳＡバス）に連接されている。液晶ディスプレイ１９は該ディスプレイインタフェース１８に連接されて該コンピュータ装置１の発生する画像信号を表示する。
【００１５】
該ディスプレイインタフェース１８は周知の表示メモリ、画像信号マッピングレジスタ、ディジタルアナログ変換器等の部品を具え、コンピュータ装置の発生する画像信号データはＰＣＩ／ＩＳＡバス１２のデータ線を介して該表示メモリに伝送され、その後、該画像信号マッピングレジスタ及びディジタルアナログ変換器の処理後に、それぞれアナログ形態のＲＧＢ画像信号が液晶ディスプレイ１９に伝送される。
【００１６】
本発明のディスプレイ動態制御装置２は該コンピュータ装置１のＰＣＩ／ＩＳＡバス１２に連接され、該ディスプレイ動態制御装置２は該コンピュータ装置１の使用当時の環境輝度或いは外界光源強度を検出して環境輝度信号Ｓ１を発生する環境輝度センサ３を具え、該ディスプレイ動態制御装置２は該環境輝度信号Ｓ１に基づきバックライト輝度制御信号Ｓｅを発生して液晶ディスプレイ１９に送り、該液晶ディスプレイ１９のバックライト輝度を制御する。
【００１７】
さらに、該ディスプレイ動態制御装置２は赤色背景色制御信号Ｓｒ、緑色背景色制御信号Ｓｇ、青色背景色制御信号Ｓｂ、黄色背景色制御信号Ｓｙの四つの色系制御信号を該液晶ディスプレイ１９に出力し、液晶ディスプレイ１９の現出する色系を制御する。
【００１８】
図３は本発明の好ましい実施例のディスプレイ動態制御装置２の回路機能ブロック図であり、並びにディスプレイ動態制御装置２と液晶ディスプレイ１９の間の連接を示している。液晶ディスプレイ１９はディスプレイ保護板１９１、水平偏光板１９２、液晶層１９３、垂直偏光板１９４、及びバックライト装置１９５を具えている。異なる電圧が該バックライト装置１９５に入力されることにより、該液晶ディスプレイ１９のバックライト輝度が改変される。
【００１９】
該ディスプレイ動態制御装置２はマイクロコントローラー２１を具え、該マイクロコントローラー２１はコンピュータ装置１のＰＣＩ／ＩＳＡバス１２に連接されている。該マイクロコントローラー２１はアナログディジタル変換器２２を介して該環境輝度センサ３に連接されて、環境輝度センサ３の検出した環境輝度信号Ｓ１を受け取る。該環境輝度信号Ｓ１は環境輝度或いは外界光源強度を代表する。該環境輝度センサ３はホトセンシティブ抵抗或いはその他の感光機能を具えた電子装置とされる。
【００２０】
該ディスプレイ動態制御装置２のマイクロコントローラー２１は環境輝度信号Ｓ１を受け取った後、該環境輝度信号Ｓ１の数値の大きさにより、計算の後に、対応する電圧値を発生し、この電圧値により駆動回路２３を経由し、バックライト輝度制御信号Ｓｅが液晶ディスプレイ１９のバックライト装置１９５に送られ、ゆえに異なる電圧が該バックライト装置１９５に入力されることにより該液晶ディスプレイ１９のバックライト輝度が改変される。
【００２１】
さらに、該液晶ディスプレイ１９中に色系アレイボード１９６が設けられ、該色系アレイボード１９６は例えば数種類の色系の発光ダイオード或いは発光素子で組成された発光アレイとされて、該液晶ディスプレイ１９の必要な異なるバックライト色系を提供する。
【００２２】
本発明の実施例によると、マイクロコントローラー２１は環境輝度信号Ｓ１の数値の大きさにより異なる色系制御信号を発生し、これらの制御信号はディジタルアナログ変換器２４で変換された後、それぞれ赤色背景色制御信号Ｓｒ、緑色背景色制御信号Ｓｇ、青色背景色制御信号Ｓｂ、黄色背景色制御信号Ｓｙの色系制御信号を発生して液晶ディスプレイ１９の色系アレイボード１９６に送られ、これにより該液晶ディスプレイ１９の現出する色系が制御される。
【００２３】
本発明の実施例では、該マイクロコントローラー２１はノートブック型コンピュータに使用されるキーボードコントローラーとされ、それにはキーボード基本入出力システム２５が配置され、該キーボードコントローラーのファームウエア機能により、環境輝度信号Ｓ１の数値の大きさを検出することができ、並びにこれにより発生したバックライト輝度制御信号Ｓｅを液晶ディスプレイ１９のバックライト装置１９５に送り、これにより液晶ディスプレイ１９のバックライト輝度を調整できる。
【００２４】
さらに、該キーボードコントローラーの機能を利用し、使用者はキーボード装置１６の所定のキースイッチにより該マイクロコントローラー２１の送出する赤色背景色制御信号Ｓｒ、緑色背景色制御信号Ｓｇ、青色背景色制御信号Ｓｂ、黄色背景色制御信号Ｓｙの色系制御信号の強度を調整でき、ゆえに使用者はその好みにより、或いはコンピュータ装置の実際の使用場所により、液晶ディスプレイ１９を最良の色系に調整することができる。
【００２５】
【発明の効果】
本発明は以上の構造により、コンピュータ装置のディスプレイに環境輝度或いは光源強度によりコンピュータディスプレイのバックライト輝度を自動調節させることができ、並びに使用者に多重背景色系の選択機能を提供して、ディスプレイの現出する画像に使用者の最も好む色系を達成させることができる。ゆえに本発明は確実に高度の産業上の利用価値を有している。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知のコンピュータ装置のシステム連接表示図である。
【図２】本発明のコンピュータディスプレイバックライト輝度及び色系を動態調節する制御装置をコンピュータ装置に結合した時のシステム連接表示図である。
【図３】本発明の実施例のディスプレイ動態制御装置の回路機能ブロック図であり、並びにディスプレイ動態制御装置と液晶ディスプレイの間の連接状態も示している。
【符号の説明】
１  コンピュータ装置
１０  ＣＰＵ
１１  システムバス
１２  ＰＣＩ／ＩＳＡバス
１３  ＲＡＭ
１４  ＲＯＭ
１５  ブリッジ
１６  キーボード装置
１７  データ保存装置
１８  ディスプレイインタフェース
１９  液晶ディスプレイ
１９１  ディスプレイ保護板
１９２  水平偏光板
１９３  液晶層
１９４  垂直偏光板
１９５  バックライト装置
１９６  色系アレイボード
２  ディスプレイ動態制御装置
２１  マイクロコントローラー
２２  アナログディジタル変換器
２３  駆動回路
２４  ディジタルアナログ変換器
２５  キーボード基本入出力システム
３  環境輝度センサ
Ｓ１  環境輝度信号
Ｓｅ  バックライト輝度制御信号
Ｓｒ  赤色背景色制御信号
Ｓｇ  緑色背景色制御信号
Ｓｂ  青色背景色制御信号
Ｓｙ  黄色背景色制御信号
【図１】
2004233942.tif 000003
【図２】
2004233942.tif 000004
【図３】
2004233942.tif 000005